(57)【特許請求の範囲】
【請求項１】
連続して流れているウエブを、コンタクトローラを通してターレットの一方側の巻取位置に配置されている巻取軸に巻取り、前記巻取軸が満巻に達したとき、ターレットの旋回により満巻に達した満巻軸と、他方側の入れ替え位置に配置されている新巻取軸とを入れ替え、切断刃によりウエブを切断する２軸ターレット式巻取装置において、
前記ターレット上部に追従ローラを設け、前記ターレットの旋回に追従して前記追従ローラを移動させる追従機構を設け、
前記追従機構は、前記追従ローラを前記ターレットの旋回に追従して巻取位置方向に向けて下降させ、次いで、前記追従ローラを、前記コンタクトローラと旋回する前記満巻軸との間を通過させ、入れ替え位置の満巻軸に近接するように一直線状に直進させ、巻取位置の前記新巻取軸と前記追従ローラとの間で前記ウエブを切断した後に、前記追従ローラを、下降時と平行に上昇させ、次いで、元の定位置に向かって一直線状に移動させる構成であることを特徴とする２軸ターレット式巻取装置。
【請求項２】
前記追従ローラが一直線状に作動する構成が、追従ローラ軸両端を昇降シリンダーにより昇降するスライドベアリングに保持させ、巻取フレームに傾斜して一直線状に設けられたボールねじの回動により一直線状に作動する請求項１記載の２軸ターレット式巻取装置。
【発明の詳細な説明】
【技術分野】
【０００１】
本発明は２軸ターレット式巻取装置に関し、詳しくは満巻軸と新巻取軸を入れ替えるにあたり、ターレット旋回により満巻軸がこれに近接しているコンタクトローラから離れ、巻取製品ロールにしわが発生するのを防止するための巻替追従ローラを備えた２軸ターレット式巻取装置に関するものである。
【背景技術】
【０００２】
ターレット巻取機は通常、ターレットの巻取側軸で近接又は接触するコンタクトローラを通してガイドローラを経て送られてくるウエブを巻取り、一定の巻取長さに達したとき、満巻となった巻取軸と新巻取軸をターレットの旋回により入り替え、巻取終端を切断して新巻取軸に巻替えてゆくが、巻替時、ターレット旋回する際に満巻軸に近接又は圧接しているコンタクトローラが巻取製品ロールの巻付位置から離れてしまうため巻取製品ロールにしわや巻取不良部を発生する。
【０００３】
そのため、巻替時に新巻取軸に近接するコンタクトローラと、満巻軸に近接するコンタクトローラの２本のコンタクトローラを設けて、これらコンタクトローラを旋回中において常に巻取軸に接当し圧着を可能ならしめることが知られている。（例えば特許文献１参照）
しかし、上記の如くコンタクトローラを巻取軸に圧接する方式は巻取軸に圧接できるウエブに対しては使用可能であるが、巻取軸に圧接することの不都合なウエブ、例えば近年の高性能フィルムなどは巻取軸がターレット旋回による位置変化に微妙な隙間を設けて追従することが難しく、ターレット旋回中に巻取るウエブは不良としてロスとなるため実施は困難であった。
【０００４】
ところが、近時、高機能性のウエブに対し高品質の巻取りを可能とすることが求められ、本出願人は先に新巻取軸に近接する第１のコンタクトローラと、満巻軸に近接する第２のコンタクトローラを設けて各ローラを夫々の巻取径に対し微少な間隙をもたせ、巻替時、夫々の巻取径に微少な間隙を維持しながら追従せしめる装置を提案した。（特許文献２参照）
しかし、上記提案による追従装置は、巻取軸間の旋回距離が比較的短い３軸の場合には充分有効であるが、巻取軸間の旋回距離が長い２軸の場合には位置関係に無理があり、適正な追従ができず、不良品の解消に問題があって改良の余地があることが判明した。
【先行技術文献】
【特許文献】
【０００５】
【特許文献１】特開２００６−８３４６号公報
【特許文献２】特開２０１０−１６８１２８号公報
【発明の概要】
【発明が解決しようとする課題】
【０００６】
本発明は上記の如き実状に鑑み、特に２軸ターレット巻取装置を対象として該装置において、ガイドローラを追従ローラとしてターレット上部に設け、該追従ローラの昇降と直進を作動させる追従機構を組み合わせることによりしわなく、高品質を保持する巻取製品ロール、就中、高機能性ウエブの製品ロールの適正な巻取りを可能ならしめることを目的とするものである。
【課題を解決するための手段】
【０００７】
即ち、上記目的に適合する本発明の特徴は、連続して流れているウエブを、コンタクトローラを通してターレットの一方側の巻取位置に配置されている巻取軸に巻取り、前記巻取軸が満巻に達したとき、ターレットの旋回により満巻に達した満巻軸と、他方側の入れ替え位置に配置されている新巻取軸とを入れ替え、切断刃によりウエブを切断する２軸ターレット式巻取装置において、前記ターレット上部に追従ローラを設け、前記ターレットの旋回に追従して前記追従ローラを移動させる追従機構を設け、前記追従機構は、前記追従ローラを前記ターレットの旋回に追従して巻取位置方向に向けて下降させ、次いで、前記追従ローラを、前記コンタクトローラと旋回する前記満巻軸との間を通過させ、入れ替え位置の満巻軸に近接するように一直線状に直進させ、巻取位置の前記新巻取軸と前記追従ローラとの間で前記ウエブを切断した後に、前記追従ローラを、下降時と平行に上昇させ、次いで、元の定位置に向かって一直線状に移動させる構成であることを特徴とする。                                                                                        
【０００８】
請求項２は上記追従機構が追従ローラのローラ軸両端を昇降シリンダーにより昇降するスライドベアリングに保持させ、巻取フレームに傾斜して一直線状に設けられたボールねじの回動により満巻軸に一直線状に追従作動させる構成よりなることを特徴とする。
【発明の効果】
【０００９】
本発明は以上のようにターレット上部に満巻軸に近接して追従ローラ（ガイドローラ）を設け、ターレット旋回に際し追従ローラが一直線上に作動して、満巻軸に追従することによりターレットの旋回にあたり、満巻軸と新巻取軸の旋回距離が比較的長い２軸ターレットであってもターレット旋回中の満巻軸に充分追従して巻取りにしわなく、適正な接近による巻取を続けることを可能ならしめ、特に高機能性ウエブを巻替時に不良を生ずることなく高品質に巻取ることができる。
【図面の簡単な説明】
【００１０】
【図１】本発明装置の全体概要図である。
【図２】本発明の要部をなす追従機構例を示す構造概要図である。
【図３】同追従機構の一直線作動機構説明図である。
【図４】巻取軸に満巻された状態時の説明図である。
【図５】図４に続くターレット旋回における追従ローラ下降時の説明図である。
【図６】ターレット旋回中で追従ローラの追従状態を示す説明図である。
【図７】ターレット旋回が終了し追従ローラの追従が終了した時の状態説明図である。
【図８】ウエブ切断状態説明図である。
【図９】新巻取軸の巻取開始時の状態を示す説明図である。
【発明を実施するための形態】
【００１１】
以下、更に添付図面に基づいて本発明の実施形態を詳述する。図１は本発明装置の全体構成の概要であり、連続して流れているウエブＷをガイドローラ１を経てコンタクトローラ２を通し、ターレットＴの１方側に配置されている巻取軸ａに巻取り、満巻に達したときターレットＴの旋回により満巻軸ａと他方側の新巻取軸ｂを入れ替え、満巻軸ａと新巻取軸ｂの間で切断刃３によりウエブＷを切断することは従来の２軸ターレット式巻取装置におけると同様である。
【００１２】
しかして、本発明装置は上記２軸ターレット式巻取装置において、特に前記コンタクトローラ２とは別にターレットＴ内で上部にガイドローラよりなる追従ローラ４が満巻側の軸ａに近接して設けられており、満巻きされた満巻軸ａがターレットＴの旋回により新巻取軸ｂと入れ替わるとき、ターレット旋回に追従して作動するようになっている。
【００１３】
図２，図３は上記追従ローラを作動する追従機構の１例を示す構造詳細図であり、巻取フレームＦ内部で、該フレームに軸着され、ターレット旋回用モータＭよりウォームギヤ１１を介して旋回するターレットＴの上部に昇降シリンダ６により昇降部スライドベアリング５を介して昇降可能に追従ローラ４が軸着されており、これら昇降シリンダー６，スライドベアリング５及び追従ローラ４は一体として巻取フレームＦにスライドベアリング７及び追従用ボールねじ８を介して摺動可能に取り付けられて図３に示される如くターレットの旋回に対応して追従ローラ４がボールねじ８に沿って一直線状に移動し、追従作動が行われるようになっている。
【００１４】
なお、ターレットＴが対向するターレット盤間には拡幅可能なエアーシャフト１０等を介して保持された巻取軸ａ，ｂを巻取チャック９により支持して、旋回用モータＭにより旋回することは従前のターレットにおけると同様である。
【００１５】
図４〜図９は上記ターレット内の追従ローラ４の作動態様を順序的に示しており、図４は前工程より連続して流れてくるウエブＷをガイドローラ１，コンタクトローラ２を介して巻取位置にある巻取軸ａに巻取り、満巻に達した状態であり、巻取軸ａには満巻された満巻製品ロールＲが形成されている。この場合、追従ローラ４は満巻されたロールＲと離れた上方の定位置に待機状態にある。次にターレットの旋回が始まるが、このとき、図５に示す如く追従ローラ４は定位置より前述した昇降シリンダーの作動により下降する。そしてターレット旋回が進み、ターレット旋回中においては追従ローラ４は昇降シリンダーの下降と、ボールねじの回動により移動し、図６，図７の如く順次、矢示方向に一直線状移動をなしてターレット旋回に追従してゆく。
【００１６】
そして更にターレット旋回が進み、満巻軸ａが所定の入れ替え位置に至り、新巻取軸ｂが巻取位置に至ると、ターレット旋回が終了するが、この終了時点まで追従ローラ４は一直線状に追従して追従を終了する。
【００１７】
かくして巻取軸ａ，ｂの入れ替えが終わり、追従ローラ４の追従が終了すると、図８の如く切断刃３が作動を始め、両巻取軸ａ，ｂの間でウエブを切断する。そして、切断が終わると、新巻取軸に対し流れてくるウエブＷの巻付け、巻取りが開始する。一方、このとき、追従ローラ４は図９の如く昇降シリンダー６による上昇と、ボールねじ８の反対方向への係摺動により満巻軸ａに巻かれた満巻ロールＲより離れ上昇し、次いで当初の定位置に向かって逆方向に移行し、次の追従に備える。
【００１８】
なお、上記において追従ローラ４は通常、ターレット上部に満巻軸ａに巻かれた満巻ロールＲに近接して設けられるが、高機能性ウエブの如く近接が望まれる場合以外は接触するように設けても差し支えない。しかし、高機能性フィルム等においては満巻ロールＲに圧接することに難があるので、圧接することなく僅かの隙間を存して近接して設けることが好適である。また、追従ローラ４は特にコンタクトローラとする必要はなく、ガイドローラで充分であるが、勿論、コンタクトローラであっても差し支えない。
【００１９】
かくして本発明はコンタクトローラを通じてターレット巻取機に巻取り、満巻に達したとき、ターレットの旋回により満巻軸と新巻取軸を入れ替えるに際し、追従ローラをターレットの旋回に追従して一直線状に作動するように構成したことにより、３軸と異なり、旋回範囲がターレットの半周にわたる長さの場合でも、追従ローラは一直線状に追従するため、ターレット旋回中の巻取りにしわなく、適正な巻取りを続けることができ、巻替時に不良品を発生することなく巻取ることができる。従って本発明は高機能性フィルムの巻取りに充分、効果的に対応することができる。
【符号の説明】
【００２０】
Ｆ：巻取フレーム
Ｔ：ターレット
ａ：満巻軸
ｂ：新巻取軸
１：ガイドローラ
２：コンタクトローラ
３：切断刃
４：追従ローラ
５：昇降部スライドベアリング
６：昇降シリンダー
７：追従機構のスライドベアリング
８：追従ボールねじ
【図１】
0005395043.tif 000002
【図２】
0005395043.tif 000003
【図３】
0005395043.tif 000004
【図４】
0005395043.tif 000005
【図５】
0005395043.tif 000006
【図６】
0005395043.tif 000007
【図７】
0005395043.tif 000008
【図８】
0005395043.tif 000009
【図９】
0005395043.tif 000010